(57)【要約】【課題】  水管を流れる水道用原水に効果的に超音波振動エネルギ−が投与でき、大腸菌等に対して高い殺菌効果が得られる水殺菌装置および竪型多層式水殺菌装置および水殺菌方法を提供する。【解決手段】横断面多角形状、例えば５角形状あるいは台形状の水管１の側部に超音波発振器９を設け、この水管１の一端から他端へ向けて殺菌対象の流水を充満状態で送水する。横断面多角形状の内形を有する直立管の側部に超音波発振器を設けた超音波水処理部２０〜２２，２７，２８を横方向に複数個並べ、隣接した直立管の片端部どおしを連通するように超音波水処理部２０〜２２，２７，２８を直列に連結し、最先方側の超音波水処理部２０から水道用原水を注水し、各々の直立管を通して最後方側の超音波水処理部２２，２８から殺菌処理水を取水する。各振動子について周波数は低、中、高と各々１〜数秒づつ変えて繰り返し照射する。【選択図】      図４
2015123398.tif 000002
【特許請求の範囲】
【請求項１】
横断面多角形状の水管の側部に超音波発振器を設け、前記水管の一端から他端へ向けて殺菌対象の流水を充満状態で送水するようにしたことを特徴とする水殺菌装置。
【請求項２】
前記超音波発振器は、前記水管の軸方向に離隔して複数個設けられ、かつ、これらの発振器の設置位置が前記水管の横断面上で互いにずれていることを特徴とする請求項１に記載した水殺菌装置。
【請求項３】
前記水管は横断面が台形状の管であることを特徴とする請求項１または請求項２に記載した水殺菌装置。
【請求項４】
前記水管は横断面が５角形状の管であることを特徴とする請求項１または請求項２に記載した水殺菌装置。
【請求項５】
横断面多角形状の内形を有する直立管の側部に超音波発振器を設けた超音波水処理部を横方向に複数個並べ、隣接した前記直立管の片端部どおしを連通するように前記超音波水処理部を直列に連結し、最先方側の前記超音波水処理部から水道用原水を注水し、各々の前記直立管を通して最後方側の前記超音波水処理部から殺菌処理水を取水することを特徴とする竪型多層式水殺菌装置。
【請求項６】
前記各超音波水処理部の前記超音波発振器は前記直立管の軸方向に離隔して、かつ、該直立管の横断面上で互いに位置をずらせて複数個設けられることを特徴とする請求項５に記載した竪型多層式水殺菌装置。
【請求項７】
前記直立管の内形形状は横断面が台形状であることを特徴とする請求項５または請求項６に記載した竪型多層式水殺菌装置。
【請求項８】
前記直立管の内形形状は横断面が５角形状であることを特徴とする請求項５または請求項６に記載した竪型多層式水殺菌装置。
【請求項９】
横断面が多角形状の水管の側部に複数個の超音波発振器を取り付け、前記各超音波発振器の発振周波数を所定の時間間隔毎に順次変化させつつ超音波照射し、前記水管の一端から他端へ向けて殺菌対象の流水を充満状態で流通させることを特徴とする水殺菌方法。
【請求項１０】
前記各超音波発振器の発振周波数を各々１秒ないし数秒間づつ低周波、中周波、高周波と順次変化させることを特徴とする請求項９に記載の水殺菌方法。
【請求項１１】
前記各超音波発振器の発振周波数を各々１秒ないし数秒間づつ２８ＫＨｚ、４５ＫＨｚ、１００ＫＨｚと順次変化させ、このサイクルを繰り返すことを特徴とする請求項９または請求項１０に記載の水殺菌方法。
【発明の詳細な説明】
【技術分野】
【０００１】
本発明は、水中に含まれる細菌類を殺菌する水殺菌装置および水殺菌方法、より具体的には、水道用の原水中に含まれる大腸菌等の細菌、原虫菌などを超音波投射を利用して殺菌する水殺菌装置および竪型多層式水殺菌装置、並びにこれらの装置を利用した水殺菌方法に関する。
【背景技術】
【０００２】
超音波発振装置の応用例として従来から水槽に超音波振動を与えることで水槽の水中に浸した固形物の表面の洗浄を行ったり、水槽内に超音波振動子を設置することで水槽の水面からノズルを通して噴霧水を放出する噴霧装置が知られているが、このほかにも水中の微細な原虫菌や細菌を水中の超音波振動によって死滅させることが行われている。例えば特許文献１には水道水を導入する水槽に超音波振動を与え、水面から霧状に放散させることで水分子と空気との接触を増大させ、この噴霧水を適当な斜板上で雫状態にして回収するという水道水処理方法および処理装置が開示されている。これによれば塩素処理後の水道水に含まれる次亜塩素酸を空気との接触で自己分解させて除去し、カルキ臭の無い飲料水を得ることができるとしている。
【０００３】
また、特許文献２では、水槽に超音波振動を与えて水槽内の水に気泡を生じさせ、水中の残留塩素をこの気泡に含ませて槽上部から放散し、これによって残留塩素を除去するとともに、水中の細菌を超音波振動による機械的破壊作用で死滅させることとしている。さらに特許文献３，４では、円形横断面の円筒管の外周部に複数個の超音波発振子を、管路横断面内で対向しないような形態で軸方向に千鳥配置した水処理装置が開示されている。これは処理槽の容積を大きくせずに大量の水処理を行えるように処理槽を円筒管とし、また、超音波発振子の配置に工夫を凝らしたものである。同文献３，４には円筒管とすることで超音波発振子の振動面から発生する波と円筒内面で反射した波とが干渉して合成波が形成されるとともに、反射面となる壁面が円筒曲面となるため超音波の集束効果が得られるとしている。特に特許文献４では、軸方向に千鳥配置した超音波発振子の上流側の組を低周波の超音波用とし、下流側の組を高周波の超音波として、この高周波振動照射により大腸菌の集合体を崩し、高周波の超音波照射により生成されるＯＨラジカル（ヒドロキシラジカル）によって酸化殺菌が行われるとの記載がある。
【先行技術文献】
【特許文献】
【０００４】
【特許文献１】特開平３−１６５８８６号公開公報
【特許文献２】特開平１−２３１９８６号公開公報
【特許文献３】特開２００４−２０２３２１号公開公報
【特許文献４】特開２００４−２０２３２２号公開公報
【発明の概要】
【発明が解決しようとする課題】
【０００５】
特許文献１の水道水処理方法はカルキ臭の原因となる次亜塩素酸を水の霧化作用で空気に触れさせて除去するものであり、大腸菌等の細菌を滅菌することはできない。また、特許文献２では気泡の生成による残留塩素の除去に加えて殺菌作用も行い得るとしているものの、水槽の水面が空気中に露呈しているために超音波振動エネルギ−が水中で拘束状態とならず、超音波振動による機械的破壊作用が充分でなく、大腸菌等の殺菌は難しい。また、これらの文献に記載のものは水道水生成設備の浄水場等における湖沼や河川等からの原水の殺菌に対しては効果は期待できない。
【０００６】
特許文献３，４に示されるように横断面が円形の水管の側部に超音波振動子を取り付けた場合、振動波は管の直径上反対側（対向側）の管内壁から反射して戻る形態となり、発振波と反射波の振動波が相殺されて充分な振動エネルギ−が発生せず、良好な殺菌効果が得られない。また、殺菌効果を高めるためには水管内を流れる原水に満遍なく振動エネルギ−が行きわたるようにする必要があるとともに、管内に空気が滞留するような状態では超音波の効果は減殺される。
【０００７】
本発明は、上記の問題に鑑みて、水管を流れる水道用原水に効果的に超音波振動エネルギ−が投与でき、高い殺菌効果が得られる水殺菌装置および竪型多層式水殺菌装置、並びにこれらの装置を用いた水殺菌方法を提供することを目的とする。
【０００８】
本発明はまた、水道用の河川、湖沼、貯水ダム等からの取水や原水の水管に、極めてコンパクトな構造で、しかも殺菌効率の高い超音波殺菌処理部を有する水殺菌装置および竪型多層式水殺菌装置を提供することを目的とする。
【課題を解決するための手段】
【０００９】
上記の目的のために本発明による水殺菌装置は、横断面多角形状の水管の側部に超音波発振器を設け、前記水管の一端から他端へ向けて殺菌対象の流水を充満状態で送水するようにしたものである。
【００１０】
本発明の１つの形態によれば、前記超音波発振器は、前記水管の軸方向に離隔して複数個設けられ、かつ、これらの発振器の設置位置が前記水管の横断面上で互いにずれていることを特徴とする。
超音波振動子をこのように横断面上でみて周方向にずれるように配置することで、水管中の原水に満遍なく超音波振動を与えることができる。
【００１１】
本発明の他の形態によれば、前記水管は横断面が台形状の管であることを特徴とする。
台形状の管とすることで振動子からの発振波と反射波の干渉が避けられ、水中に十分な振動エネルギーを与えられる。
【００１２】
本発明のさらに他の形態によれば、前記水管は横断面が５角形状の管であることを特徴とする。
横断面が５角形状の管とすることで振動子からの発振波と反射波の干渉が避けられ、水中に十分な振動エネルギーを与えられる。
【００１３】
また本発明によれば、横断面多角形状の内形を有する直立管の側部に超音波発振器を設けた超音波水処理部を横方向に複数個並べ、隣接した前記直立管の片端部どおしを連通するように前記超音波水処理部を直列に連結し、最先方側の前記超音波水処理部から水道用原水を注水し、各々の前記直立管を通して最後方側の前記超音波水処理部から殺菌処理水を取水するようにした竪型多層式水殺菌装置が提供される。
【００１４】
本発明の他の形態によれば、前記各超音波水処理部の前記超音波発振器は前記直立管の軸方向に離隔して、かつ、該直立管の横断面上で互いに位置をずらせて複数個設けられることを特徴とする。
複数個の超音波振動子をこのように軸方向に離隔して、かつ横断面上でみて周方向にずれるように配置することで、水管中の原水に満遍なく超音波振動を与えることができる。
【００１５】
また本発明の他の形態によれば、前記直立管の内形形状は横断面が台形状であることを特徴とする。
台形状の管とすることで振動子からの発振波と反射波の干渉が避けられ、水中に十分な振動エネルギーを与えられる。
【００１６】
また本発明の他の形態によれば、前記直立管の内形形状は横断面が５角形状であることを特徴とする。
横断面が５角形状の管とすることで振動子からの発振波と反射波の干渉が避けられ、水中に十分な振動エネルギーを与えられる。
【００１７】
本発明に係る水殺菌方法は、横断面が多角形状の水管の側部に複数個の超音波発振器を取り付け、前記各超音波発振器の発振周波数を所定の時間間隔毎に順次変化させつつ超音波照射し、前記水管の一端から他端へ向けて殺菌対象の流水を充満状態で流通させることを特徴とする。
【００１８】
本発明に係る水殺菌方法のひとつの形態によれば、前記各超音波発振器の発振周波数を各々１秒ないし数秒間づつ低周波、中周波、高周波と順次変化させることを特徴とする。
【００１９】
本発明に係る水殺菌方法の他の形態によれば、前記各超音波発振器の発振周波数を各々１秒ないし数秒間づつ２８ＫＨｚ、４５ＫＨｚ、１００ＫＨｚと順次変化させ、このサイクルを繰り返すことを特徴とする。
【発明の効果】
【００２０】
本発明の水殺菌装置および水殺菌方法によれば、水道設備の特に原水取入れ部や原水処理部における水管に適用して該水管中の原水、取込み水に含まれる大腸菌等の細菌類を効率よく殺菌することができる。
【００２１】
また本発明においては、水道用原水の殺菌に塩素等の化学物質に頼ることなく殺菌でき、殺菌のために投入する化学物質による人体への影響や不快な味感触を排除できる。
【００２２】
さらに本発明によれば、前記水管に設けられる超音波処理部をコンパクトで殺菌効率の高い構造の竪型多層式の水処理装置が得られる。また、超音波振動子の設置領域も全体を大形化せずに増やすことができる。
【００２３】
また本発明によれば、水管が多角形状の横断面形状を有するため、水管の側部に設けた超音波振動子の発振波と反射波との干渉による振動エネルギーの減少が抑制され、効果的な滅菌作用が発揮される。
【００２４】
本発明による水殺菌方法では、振動周波数を段階的に変えて超音波照射するため、振動波の振幅の節に集中する菌類や微生物を直後に生じる振幅の腹によるキャビテーション効果により死滅させることが増大する。
【図面の簡単な説明】
【００２５】
【図１】水道水処理設備に適用した本発明の実施例１に係る水殺菌装置の概略的な側面図である。
【図２】図１に示す水殺菌装置のより具体的な外観側面図である。
【図３】本発明の実施例２に係る水殺菌装置の概略的な側面図である。
【図４】図３のＡ−Ａ線に沿った概略的な横断面図である。
【図５】図４に示す実施例２の変形例に係る水管の概略的な横断面図である。
【図６】本発明の実施例３に係る水殺菌装置の概略的な横断面図である。
【図７】図６の矢視Ｆからみた実施例３の側面図である。
【図８】図６に示す実施例３の変形例に係る水管の概略的な横断面図である。
【図９】本発明の実施例に係る竪形多層式水殺菌装置の概略的な斜視図である。
【図１０】本発明の他の実施例に係る竪形多層式水殺菌装置の概略的な側面図である。
【発明を実施するための形態】
【００２６】
次に、本発明を各種の実施例について図面を参照して具体的に説明する。なお、以下の実施例はいずれも水道水処理設備、具体的には浄水場や沈殿槽等を含む水道用原水から飲用水道水を生成する設備に適用する水道用原水殺菌装置として構成した例であるが、本発明は必ずしもこのような水道用原水を対象とする場合にのみ限定されるものではなく、他の一般の水殺菌用としても適用され得ることは勿論である。
【実施例１】
【００２７】
図１，図２を参照すれば、超音波振動を付与する水管１が横置状態に適当な架台２に支持されている。殺菌処理部となる水管１の一端（先端）は可撓管３に連結され、この可撓管３の先端がバタフライ弁４を介して原水取込み管５に連結されている。原水取込み管５は原水貯水槽（図示省略）に連結され、図示しないポンプを介して貯水槽で塵芥や汚物などが除去された水道用原水が本発明に係る水管１へ給送される。水管１の他端（後端）は水流検知部６およびゲート弁７を介して殺菌処理済みの水道水として水道管８へと送出される。水流検知部６は水管１の先端から後端へと水が流れていることを確認するために設けられるものであるが、この場合、水管１内は空域がなく流水で充満された状態で水が流れているように流量を制御する。なお、可撓管３は架台２に設置された水管１が原水取込み管５に対して芯ずれしている場合に、その芯ずれ量を吸収するためのものであり、本発明にとって必ずしも必須のものではない。
【００２８】
後述する如く超音波振動子が取り付けられる水管１は横断面が多角形状の内形形状を有し、この多角形の１つの側辺部に超音波振動子９が取り付けられる。この実施例では、超音波振動子９は図１のように軸方向に整列した状態で全長略３１０ｍｍの範囲にわたって７個取り付けられている。この超音波振動子９の付勢により水管内の原水中に超音波振動エネルギ−が発生し、これによって原水中の原虫菌（例えばクリプトスポリジウム等）や大腸菌が死滅される。
【００２９】
前記超音波振動子の作動方法を具体例を挙げて説明すれば、まず、水管内が原水で満たされていることを確認した後、超音波装置の電源を入とする。超音波振動子９の振動数や投射時間等の設定は目的とする殺菌対象によっても異なるが、各振動子の振動周波数を低周波、中周波、高周波の３段階に分けて照射する。例えば各振動子を各々１秒〜数秒毎に振動数２８ＫＨｚ、４５ＫＨｚ、１００ＫＨｚと変化させ、このサイクルを複数回繰り返すように設定する。より具体的には、各振動子について最初に低周波２８ＫＨｚの超音波を１〜２秒間照射し、直ちに中周波４５ＫＨｚの超音波に切り換えて１〜２秒間照射し、さらに高周波１００ＫＨｚに切り換えて１〜２秒間照射し、このサイクルを複数回繰り返す。
【００３０】
超音波振動による水中のキャビテーションは定在波の振幅の腹になる部分に集中して発生するが、菌類や微生物はこの定在波の腹と腹の間の節になる部分に固定されるので、この節の部分に集中した微生物を死滅させるために前記節の部分に次の定在波の腹がくるように周波数を変え、そのキャビテーション効果によって菌類や微生物を死滅させる。周波数を低周波から高周波へと順次変えることで、前記節に集中していた菌類、微生物は次の腹が移動してくるので、キャビテーションにさらされ、減菌作用が増大する。実験によっても、このような振動モードを２回繰り返すことで原水中のクリプトスポリジウム菌の死滅が確認された。大腸菌の場合にも、振動数や回数等の振動モードの実験を行い、単位水量当りの死滅個数を確認し、最適な振動モードを設定する。
【実施例２】
【００３１】
上述の実施例１では水管に配設する複数個の超音波振動子を水管軸線方向に一列に配置したが、より殺菌効果を高めるために、図３，図４に示すように複数個の振動子９，１０を水管１の周方向に位置をずらせるようにして軸方向に配列するのがよい。この例を説明すれば、横断面が５角形の形状を成す水管１の各側辺にそれぞれ超音波振動子９，１０，１１，１２，１３が設けられ、これらの超音波振動子９〜１３は水管１の軸方向に所定間隔で互いに離隔して設けられ、かつ各々の振動子９，１０，１１，１２，１３は横断面上で互いに位置をずらせて配置されている。つまり、水管１の軸方向からみた場合、各振動子９〜１３は水管１の周方向に位置がずれている。この様子は図３からも明らかであり、５角形の１つの側辺１ａ上の振動子９の隣の振動子１０は軸方向に位置をずらせて前記側辺１ａに連接する他の側辺１ｂ上に設けられている。同様に、さらにその隣の側辺上の振動子１２は前記他の振動子と軸方向に位置をずらせて設けられている。振動子１３も同様である。このように配置することにより、水管内を充満状態で流れる原水の全域に満遍なく超音波振動を加えることができ、より確実で効率のよい殺菌効果が得られる。
【００３２】
水管１の内形部を５角形状の横断面形状とすることにより、或る横断面上の１つの振動子９から発振された超音波は水管１の同じ横断面内の対向する内側部で反射するが、その反射波１５（図４）は元の振動子９へ向かう比率が小さく、大部分が発振波１６に対して斜め方向に反射することとなり、発振波１６と反射波１５との干渉が少ないので超音波エネルギ−の大きな減少が避けられる。他の側辺部の振動子についても同様であることは図４からも明らかである。
【００３３】
水管１の５角形形状としては図４の実施例２のように５つの側辺が互いに平行とならない変形５角形とするのが好ましいが、本発明では特にこの形態に限定されるものではなく、対向する２側辺のみが平行となるような５角形であってもよい。特に実施例２の変形例を示す図５のように対向する平行２側辺１ａ，１ｂ間の距離ｄが長いような場合は、発振波の経路が長く、この平行２側辺の１側辺１ａ上の振動子９の発振波１６とその反射波との衝突による振動エネルギ−の減衰の影響は小さい。この例で平行２側辺以外の他の側辺上の振動子１０，１３による反射波は前述したように発振波に対して異なる方向に反射するので、振動波の相殺は避けられる。
【実施例３】
【００３４】
図６，図７は本発明の実施例３を示した図であり、この場合は水管１の横断面形状は４角形、即ち台形状となっており、この台形の各側辺部にそれぞれ軸方向に位置をずらせて複数個の超音波振動子９，１０，１１，１２が設けられる。台形の各側辺上の振動子９〜１２からそれぞれ発振された振動の反射波は振動子９〜１２の発振波１６，１７，１８，１９の方向からずれた方向へ反射され、発振波と反射波との衝突による振動エネルギ−の減衰は小さい。台形の形状としては図６のように各側辺が平行でない形態のほかに、例えば図８の変形例のように対向する２側辺１ａ，１ｂ間の距離ｄが比較的長いような場合は、２側辺１ａ，１ｂが平行となるような台形であってもよい。平行２側辺以外の側辺の振動子１０，１２，１３では発振波と反射波との干渉は起らない。この形態の場合、製作は比較的容易である。図４〜図８の実施例２，３においても各振動子の発振動作は所定の時間間隔で間欠的に行われる。その照射形態も実施例１で述べたように振動周波数を１〜数秒間隔で複数段階に変えて照射し、かつこの振動モードを複数回継続する。
【００３５】
以上の各実施例では多角形状横断面の水管の軸方向各部位の横断面上の１側辺部につき１個の振動子を配置した例を説明したが、本発明では必ずしもこのような形態に限定されるものではなく、例えば図８に示すように、或る１つの横断面上で２個の振動子１０，１３を設けてもよい。或る１つの横断面上に複数の振動子を配置した場合、それぞれ対向する側辺部上の振動子１０，１３の発振波がそれぞれ対向する振動子１３，１０に直接入射することがないように位置をずらせて配置する。これによって一方の振動子の発振波によって対向側の振動子が毀損を受けることが避けられる。図５でも明らかなように、同じ横断面上の振動子１０，１３の発振波は相手側の振動子１３，１０に射突することがないように配置されている。
【実施例４】
【００３６】
図９に示す竪型多層式の水殺菌装置の実施例４では、３個の筒形の超音波水処理部２０〜２２が連結管２３，２４を介して直列に接続されている。各超音波水処理部２０〜２２は円筒体の外殻で囲包されており、その内側には横断面が多角形の流通管、例えば図４〜図６および図８に示したような５角形状〜台形状の水管が設けられ、この流通管の側辺部に複数個の超音波振動子が該管の軸方向に離隔して設けられている。なお、この場合も各振動子の配置は、図１のように一定間隔で軸方向に一列に整列して設けられる場合のほか、図３，図８で説明したように周方向に順次ずらせた形態で設けられる。
【００３７】
より具体的に説明すれば、図９の実施例４で３体の超音波水処理部２０〜２２は立位状態で横方向に平行に並べた形態で設けられ、その最先方側にある第１の超音波水処理部２０の上端は原水導入管２５に連結される。そして、この第１の超音波水処理部２０の下端は隣の第２の超音波水処理部２１の上端と連結管２３を介して連通され、さらにこの第２の超音波水処理部２１の下端がさらにその隣の最後方側の第３の超音波水処理部２２の上端に連結管２４で連通され、第３の超音波水処理部２２の下端は殺菌処理水の水道管２６に連結される。超音波水処理部の槽数（段数）が２段あるいは４段以上となっても、この関係は同様である。このように各超音波水処理部を縦形、つまり直立姿勢に並べた形態に構成し、前段の槽の下部から後段の槽の上部へと順次水を送るように直列接続とすることにより、各超音波水処理部の管内に空気が滞留するのが防止されるとともに、滅菌効果が向上する。また、このように竪型多層式とすることで、横長の設備に比べて全体として極めてコンパクトな構造でありながら超音波振動子の設置個数を増加させることができ、より大きな殺菌効果を達成できる。
【実施例５】
【００３８】
図１０は本発明の実施例５に係る竪型多層式水殺菌装置を示した概略的な側面図である。この例では５個の超音波水処理部２０〜２２，２７，２８が立位状態で横方向に並べて配置されている。各超音波水処理部は図３〜図８で説明したような横断面が多角形状の、例えば５角形状あるいは台形状の直立管と、この直立管を囲包する外殻体と、前記直立管の側部に軸方向に離隔して設けられた複数個の超音波発振器（超音波振動子）とで構成されている。この場合の超音波発振器の配置形態も図３〜図８に関連して説明した形態と略同じである。実施例４の竪型多層式水殺菌装置と異なるところは、各超音波水処理部の連結形態であり、実施例５の場合は隣接した超音波水処理部の片端部どおし、つまり隣接した超音波水処理部２０，２１の下端部と下端部、超音波水処理部２１，２２の上端部と上端部がそれぞれ連結管２９，３０によって順次に連結され、最先方側の超音波水処理部２０に導入された被処理水（原水）が直列状態に連結された各超音波水処理部２１，２２，２７を経て最後方側の超音波水処理部２８から殺菌処理済みの水道水として取り出される。この場合も各超音波水処理部の直立管には被処理水が充満状態で流通するように制御される。最先方側の超音波水処理部２０につながる原水の導入管２５および最後方側の超音波水処理部につながる処理済み水の流出管３３にはそれぞれ流量検出器３１，３２が設けられている。この実施例５の場合も原水は多くの超音波水処理部を通過して殺菌処理を受けるにもかかわらず全体の構成は設置場所の取らないコンパクトな設備として構成できる。
【００３９】
最先方側の超音波水処理部に取り込む水道原水は直接河川や湖沼あるいは貯水ダムから直接ポンプを介して導くようにしてもよいが、好ましくは一旦浄水池や浄水槽等の浄水場に貯留し塵芥など不純物を沈殿除去した状態で超音波水処理部に給水するのがよい。これによって超音波水処理部の振動子が不純物で汚染されて作動低下となるのが避けられる。
【００４０】
上述の各実施例では、水管の横断面が５角形状あるいは台形状のものについて説明したが、本発明ではこれ以外の多角形状のもの、例えば３角形あるいは対向する側辺が平行とならない変形６角形状ないし変形８角形状の横断面形状のものでもよい。しかし例えば８角形状のように角数の多い多角形では円形横断面の管に近くなるので、より好ましい形態としては実施例で説明した５角形あるいは台形状のものが多く採用される。
【符号の説明】
【００４１】
１  水管
２  架台
５  原水取込み管
６  水流検知部
８  水道管
９，１０，１１，１２，１３  超音波振動子
１５  反射波
１６，１７，１８，１９  発振波
２０，２１，２２，２７，２８  超音波水処理部
２３，２４，２９，３０  連結管
２５  原水導入管
２６  水道管
３１，３２  流量検出器
【図１】
2015123398.tif 000003
【図２】
2015123398.tif 000004
【図３】
2015123398.tif 000005
【図４】
2015123398.tif 000006
【図５】
2015123398.tif 000007
【図６】
2015123398.tif 000008
【図７】
2015123398.tif 000009
【図８】
2015123398.tif 000010
【図９】
2015123398.tif 000011
【図１０】
2015123398.tif 000012